(57)【特許請求の範囲】
【請求項１】
表示意匠が形成された文字板と、前記文字板の背面側に配置された光源と、導光性を有し指針軸部を中心にして前記文字板の前面側を回動するように配置された指針と、前記指針軸部が挿通されると共に前記光源からの光が前記指針の基端部に入射するように、前記文字板の中央部に前記指針軸部の外径よりもやや大きい内径を有して形成された開口部と、を具備するメータ装置において、
前記文字板の前方は黒色系統の表ガラスで覆われ、
前記文字板の背面側に光を供給して、前記表示意匠を照明するための前記光源とは異なる文字板用光源を更に具備し、前記指針が光輝している際には、前記文字用専用光源は消灯状態であり、
前記表示意匠を周回するように前記文字板の前面側に設置された枠体であって、外側に向かうにしたがって曲線的に徐々に開口する断面凸状で光沢性のある内壁を有するとともに前記開口部からの前記光源による漏れ光を利用して環状の反射照明を生ずるリング部材、を具備し、
前記文字板と前記リング部材との間には、前記リング部材の内径よりやや小さな内径を有する黒色系統の縁取り部材が、前記リング部材の内側を縁取るように介設されており、
更に前記縁取り部材は前記指針の回動範囲よりやや大きな表示窓を有した見返し板のうち、前記表示窓の周縁近傍からなること、
を特徴とするメータ装置。
【請求項２】
請求項１記載のメータ装置において、
前記光沢性は、メッキ処理によるものであることを特徴とするメータ装置。
【発明の詳細な説明】
【０００１】
【発明の属する技術分野】
本発明は、車両等に搭載されるメータ装置に関し、特に、文字板に周設されたリング部材を有するメータ装置に関する。
【０００２】
【従来の技術】
車両等に搭載されるこの種のメータ装置においては、指針、及び文字、数字、目盛り等の表示意匠が形成された文字板を背面側から専用光源で照明するようにしている。また、近年、高級感、高品位感を増長させる等の目的で、この表示意匠を周回するように導光体のリング部材を設置して、同様に背面側から専用光源でこれを照明するようにしたメータ装置が知られている。ところが、このようなメータ装置では、上記リング部材に専用光源を必要とするため、構造の複雑化及びこれに伴うコスト高を招いていた。この問題を以下に図面を用いて説明する。
【０００３】
図４は、この種の従来のメータ装置の概要を理解するための要部断面図である。このメータ装置は、スピードメータ部やタコメータ部の他、方向指示部、各種ウォーニング表示部等が一体化されたコンビネーションメータの一部を示すものである。
【０００４】
図４の要部断面図に示すように、指針９１は導光性を有する細長い先細り形状の樹脂で形成されており、指針軸部９１ａを中心にして指示部が文字板９２の前面側を回動するように配置されている。指針９１の下面には、通常、指針９１を所定色に光輝させるためのホットスタンプ層が形成されるがここでは省略している。また、指針軸部９１ａの上面側には黒色の指針キャップ９１ｂが被せられている。
【０００５】
文字板９２は、透明生地の薄い円板状のシート板に、所定の数字、文字等の表示意匠を中抜きにして、黒色塗装した円板状のシート板である。上記指針軸部９１ａが挿通されると共に指針用の光源９６ａからの光が指針軸部９１ａの周囲に入射するように、指針軸部９１ａの外径よりもやや大きい内径を有する開口部９２ａが形成されている。また、リング透光部材９３に光源９６ｂからの光が入射するように窓部９２ｂも形成されている。また、文字板９２の背面には、文字板用光源（不図示）からの光を導光させるための導光板が重着されることが多いが、ここでは省略されている。
【０００６】
リング透光部材９３は、表示意匠の取り巻くように周設された導光性枠体であり、下面から受光して、光源色又はリング透光部材の色調に依存してリング状に光輝する。このリング透光部材９３は、見返し板９７に熱溶着等により固定されている。ベースプレート９４は、文字板９２やモータ９５をメータ内の所定位置に固定する。モータ９５は、ベースプレート９４に固定されて指針９１を回動させる。このモータ９５の回転軸９５ａは、指針９１の指針軸部９１ａに挿着されている。また、モータ９５は、ここでは図示しない各種センサによって検出されたセンサ出力に基づいて指針９１を所定角度だけ回動させて、文字板９２に形成された所定の表示意匠を指示する。
【０００７】
光源９６ａ及び９６ｂは、文字板９２の背面から所定距離だけ離間してベースプレート９４に固定されている。光源９６ａからの光は上方に向かい、文字板９２の開口部９２ａを通過して、指針９１を光輝させるために指針軸部９１ａの周辺部に供給される。また、光源９６ｂはリング透光部材９３を光輝させるために、光源９６ａとは独立して設けられている。更に、ここでは図示しないが、文字板９２を背面から照明する光源も設けられている。なお、ここではベースプレート９４上に配置される他の回路類や構造は省略している。そして、上記文字板９２、リング透光部材９３及び見返し板９７の前方を覆うように暗色系の半透過性の表ガラス９８が取り付けられている。
【０００８】
このような構成において、所定のトリガーによって光源９６ａが点灯すると、この光源９６ａからの上方に向かう光は、文字板９２の開口部９２ａを通過して、指針軸部９１ａの周辺部から指針９１の内部に入射する。この入射光は、指針９１の内部に形成された反射面等を経由して指針９１の先端方向に導光され、指針９１をホットスタンプ層の色調で光輝させる。また、光源９６ａから上方に向かう光の一部は、図中、Ｒ９で示すように、上記開口部９２ａから漏れてリング透光部材９３の方向に進行する。これと同時に光源９６ｂが点灯すると、リング透光部材９３も所定の色調で光輝する。そして、これらは表ガラス９８を通過して、図中、上方に位置するドライバ等のアイポイントに到達する。
【０００９】
【発明が解決しようとする課題】
ところが、上述のような従来のメータ装置は、指針９１用及びリング透光部材９３用にそれぞれ専用光源が必要である。そして、これに伴ってメータ構造の複雑化や組立工数増加等を招き、メータ装置がコスト高になるという問題がある。
【００１０】
よって本発明は、上述した現状に鑑み、光源数を減少させてメータ構造を簡素化しつつ、より一層の高級感を持たせるようにしたメータ装置を提供することを課題としている。
【００１１】
【課題を解決するための手段】
上記課題を解決するためになされた請求項１記載の車載メータは、表示意匠３２ｃが形成された文字板３２と、前記文字板３２の背面側に配置された光源３６と、導光性を有し指針軸部３１ｂを中心にして前記文字板３２の前面側を回動するように配置された指針３１と、前記指針軸部３１ｂが挿通されると共に前記光源３６からの光が前記指針３１の基端部に入射するように、前記文字板３２の中央部に前記指針軸部３１ｂの外径よりもやや大きい内径を有して形成された開口部３２ａと、を具備するメータ装置において、前記文字板３２の前方は黒色系統の表ガラス１１で覆われ、前記文字板３２の背面側に光を供給して、前記表示意匠３２ｃを照明するための前記光源３６とは異なる文字板用光源を更に具備し、前記指針３１が光輝している際には、前記文字用専用光源は消灯状態であり、前記表示意匠３２ｃを周回するように前記文字板３２の前面側に設置された枠体であって、外側に向かうにしたがって曲線的に徐々に開口する断面凸状で光沢性のある内壁を有するとともに前記開口部３２ａからの前記光源３６による漏れ光を利用して環状の反射照明を生ずるリング部材３３、を具備し、前記文字板３２と前記リング部材３３との間には、前記リング部材３３の内径よりやや小さな内径を有する黒色系統の縁取り部材９ａが、前記リング部材３３の内側を縁取るように介設されており、更に前記縁取り部材９ａは前記指針３１の回動範囲よりやや大きな表示窓を有した見返し板９のうち、前記表示窓の周縁近傍からなること、を特徴とする。
【００１２】
請求項１記載の発明によれば、文字板３２の背面側に配置された光源３６からの光は、指針軸部３１ｂの周辺部に入射して指針３１の先端部に向かって進行する。この光源３６からの光はまた、文字板３２の開口部３２ａから漏れて、リング部材３３の内壁３３ａに向けて進行する。リング部材３３の内壁３３ａは光沢性があり、外側に向かうにしたがって曲線的に徐々に開口する断面凸状であるので、漏れ光はこの内壁３３ａで反射して文字板３２前方のアイポイントに向かう。すなわち、漏れ光を利用してリング状の反射照明を発生させる。また、内壁３３ａは外側に向かうにしたがって曲線的に徐々に開口する断面凸状をしているので、反射光はある程度の角度範囲をもって文字板３２の前方に向かうことになり、多少のアイポイントの変動も吸収する。また、文字板３２の前方は黒色系透明の表ガラスで覆われ、表示意匠３２ｃを照明するために文字板３２の背面側に配置された光源３６とは異なる文字板用光源が具備されているので、光源３６の消灯時にはブラックフェイス化され、光源３６の点灯時には文字用光源は消灯状態になり、指針３１とリング部材３３とが黒色系統の背面に鮮やかに浮かび上がって視認される。
また、見返し板９の表示窓の周縁近傍が上記縁取り部材９ａとして利用されるので、縁取りのための専用部材を追加することなく、鮮やかなリング照明を提供できる。また、文字板３２とリング部材３３との間には、リング部材３３の内径よりやや小さな内径の縁取り部材９ａが、リング部材３３の内側を縁取るように介設され、この縁取り部材９ａは黒色系統に形成されるので、リング状の輪郭がくっきりと縁取られて光輝する。
【００１３】
上記課題を解決するためになされた請求項２に記載の車載メータは、請求項１記載のメータ装置において、前記光沢性は、メッキ処理によるものであることを特徴とする。
【００１４】
請求項２に記載の発明によれば、また、リング部材３３の光沢性は、メッキ処理したものであるので、メッキ自体の装飾効果と相乗的に、メッキの光沢性を利用したリング照明効果が付加される。
【００２３】
【発明の実施の形態】
以下、本発明の実施の形態を図面に基づいて説明する。図１は本発明の一実施形態を示し、本発明のメータ装置がコンビネーションメータに適用された例を示す正面図である。
【００２４】
図１に示すように、本発明のメータ装置は、例えば、車載されるコンビネーションメータ１に適用されるものとする。このメータ１は、燃料計部２、タコメータ部３、ウォーニング表示部４、方向指示部５、スピードメータ部６、オドメータ部７、及び水温計部８等を含んで構成される。これら各部２〜８は、後述の数字、文字、キャラクタ等の表示意匠や意匠パターンを表示する文字板を有する。このメータ１の前面側を形成する見返し板９は、上記各部２〜８に対応する表示窓を有しており、側面及び背面側を構成するメータケース１０と一体化されて、メータ１の外径を構成する。更に、各部２〜８の前方は、黒色系透明の表ガラス１１で覆われている。この表ガラス１１の色調と各文字板や見返り部の色調とが相まって、消灯時には、このメータ１はブラックフェイス化される。
【００２５】
各文字板の背面側には、燃料計部２、タコメータ部３、スピードメータ部６及び水温計部８の各指針をここでは図示しない制御機構に指令されて所定角度回動させるモータが配備されている。また、制御機構に指令されてオドメータ部７に所定の累積走行距離を表示するここでは図示しないＬＣＤ（Liquid Crystal Display）等の表示装置も配備されている。更に、裏側から上記各文字板及び指針に光を供給して照明するここでは図示しない光源が配備されている。
【００２６】
上記燃料計部２はその指針２１が、文字板２２上に形成された表示意匠である燃料残量を指示するものである。タコメータ部３はその指針３１が文字板３２上のエンジン回転数を指示するものである。これに関する駆動機構を簡単に説明すると、指針３１がこの文字板３２上の該当するエンジン回転数に対応する数字又は目盛りを指示することにより、エンジン回転数が表示される。この指針３１は、ここでは図示しないエンジン回転数センサによって検出されたエンジン回転数に対応する値に基づいて、制御機構及び上記モータを含む指針駆動機構により、所定角度だけ回動制御される。ウォーニング表示部４はオイル不足、ブレーキ警告、充電警告等の各警報をそれらに応じたキャラクタを照明することにより警報表示するものである。方向指示部５は車両走行方向の変更を指示するものである。スピードメータ部６はその指針６１が文字板６２上の走行スピードを指示するものである。オドメータ部７は累積走行距離を表示するものである。水温計部８はその指針８１が文字板８２上の水温を指示するものである。これら各部２〜８の駆動機構は公知のものであり、本発明の要旨を理解するには、必要ないのでここでは説明を省略する。また、各文字板２２、３２、４２、５２、６２、７２、及び８２は一枚の板状に形成してもよいし、近接する部位毎に一枚の板状に形成するようにしてもよいが、ここでは各文字板を独立するものとして記載する。
【００２７】
各文字板２２、３２、６２、及び８２は、所定のトリガー信号に応答して各文字板に対応する文字板用光源から供給される光により背面から照明される。また、各文字板２２、３２、６２、及び８２に対応する各指針２１、３１、６１、及び８１も他のトリガー信号に応答して、指針用光源から供給される光により光輝する。すなわち、このメータ１は、指針、文字板の順に時差点灯させることができる。もちろん、指針及び文字板を同時に光輝、照明させることも可能である。これにより、点灯に応答して、ブラックフェイス化されていたメータ前面から鮮やかに各表示意匠が浮かびあがるようにして視認される。
【００２８】
また、円形状のアナログタイプの上記燃料計部２、タコメータ部３、スピードメータ部６及び水温計部８は、それぞれ各表示意匠を周回するようにリング部材２３、３３、６３、及び８３を有している。各リング部材２３、３３、６３、及び８３は光沢性を有し、指針照明時には上記文字板の背面側に配置された指針用光源からの光の漏れを利用してリング状に照明される。これに関する構成及び作用効果は、代表してタコメータ部３を例にしながら、以下に図２及び図３を用いて説明する。
【００２９】
図２及び図３は共に本発明の一実施形態を示し、図２は図１のタコメータ部の正面図であり、図３はタコメータ部の要部断面図である。
図２の正面図に示すように、文字板３２は、例えば、ポリカーボネイトシートからなる透明生地の薄い円板状のシート板である。この文字板３２には、エンジン回転数を示す数字「０」、「１」、「２」、…、やキャラクタ「×１０００ｒｐｍ」等の表示意匠が形成されている。この表示意匠部は、上記数字やキャラクタを中抜きにして、文字板３２に、例えば、黒系統色のインクを塗布することによって形成される。上記エンジン回転数を示す数字「０」、「１」、「２」、…、は、この文字板３２上を指針軸３１ａを中心として回動する指針３１の先端部により指示される。また、エンジン回転数を示す数字「０」、「１」、「２」、…、を周回するように、文字板３２の前面側にはリング部材３３が設置されている。
【００３０】
このリング部材３３の表面、特に、内壁３３ａは光沢性を有する。この光沢性は、例えば、反射率の高いメッキ処理によるものが好ましいが他の処理方法を用いてもよい。要は、内壁３３ａにある程度の反射率を持たせればよい。但し、メッキ処理によると、メッキ自体の装飾効果と相乗的に、メッキの光沢性を利用したリング照明効果が付加されることになり、非常に高品位感及び商品性を高めることができる。その色調は、表ガラス１１の色調とコントラストのある薄白色系統が好ましいが、指針照明時に表ガラス１１を通して視認可能である色調であれば、意匠的な観点から他の色調にしてもよい。
【００３１】
また、上記文字板３２とリング部材３３との間には、リング部材３３の内径よりやや小さな内径を有する縁取り部材９ａが、上方から見てリング部材３３の内側を縁取るように介設されている。この縁取り部材９ａは、例えば、黒色系統であり、通常、この種のメータに具備される見返し板９の一部を利用して形成してもよいし、専用の縁取り用リングを用いてもよい。この縁取り部材９ａにより、リング状の輪郭がくっきりと縁取られて光輝するようになり、更に高品位感を提供することができる。
【００３２】
図３の要部断面図に示すように、指針３１は、導光性を有する細長い先細り形状の透過性の樹脂で形成された指針本体３１ａの基端部近傍に接着された指針軸部３１ｂを中心にして、文字板３２の前面を回動するように配置されている。この指針本体３１ａの下面には、指針３１を所定色に光輝させるため、赤や白等の所定色のホットスタンプ層３１ａ１が形成されている。また、指針軸部３１ｂの上面側には黒色の指針キャップ３１ｃが被せられている。この指針キャップ３１ｃは、上記ホットスタンプ層３１ａ１に対応するスリット部を除いて、指針本体３１ａに覆設される。更に、指針本体３１ａと指針キャップ３１ｃとの間にはバランサ３１ｄが挟持されている。
【００３３】
文字板３２には、上記指針軸部３１ｂが挿通されると共に指針用の複数個の光源３６からの光が指針本体３１ａの基端部に入射するように、その中央部に指針軸部３１ｂの外径よりもやや大きい内径を有する円形の開口部３２ａが形成されている。また、後述するリング部材３３の係止片３３ｂに対応して小孔部３２ｂも形成されている。なお、３２ｃは、中抜き塗装された表示意匠を示す。また、文字板３２の背面には、現実的には、文字板用光源（不図示）からの光を導光させるための導光板が重着されるが、ここでは省略されている。
【００３４】
リング部材３３は、文字板３２に形成された表示意匠３２ｃを周回するように、文字板３２の前面側に設置されている。このリング部材３３は、外側に向かうにしたがって曲線的に徐々に開口する断面凸状の内壁３３ａを有している。そして、リング部材３３の表面のうちで、少なくともこの内壁３３ａはメッキ処理等が施されて光沢性を有している。もちろん、処理の容易性からリング部材３３の表面全体が光沢性を有するようにしてもよい。その色調は、上述したように薄白色系統が好ましいが、意匠的な観点から他の色調にしてもよい。更に、このリング部材３３は、先端に爪部が形成されて下方に延びる係止片３３ｂを有している。この係止片３３ｂは、見返し板９にリング部材３３を固定される際に利用される。
【００３５】
ベースプレート３４は、文字板３２やモータ３５をメータ内の所定位置に固定する。このベースプレート３４は、メータケース１０の一部として形成されるようにしてもよい。
【００３６】
モータ３５は、ベースプレート３４に固定されて指針３１を回動させる。このモータ３５の回転軸３５ａは、上記指針軸部３１ｂに挿着されている。また、モータ３５は、ここでは図示しないエンジン回転数センサによって検出されたエンジン回転数に基づき指針３１を所定角度だけ回動させて、文字板３２に形成された所定の表示意匠３２ｃ、すなわち、エンジン回転数を示す数字を指示させて、エンジン回転数を知らせる。
【００３７】
光源３６は、文字板３２の背面から所定距離だけ離間するように、ベースプレート３４に固定されている。この光源３６としては、例えば、ＬＥＤ（Light Emitting Diode）が利用される。この光源３６の色調は、例えば、赤色、又は黄色系統である。この光源３６から光は上方に向かい、文字板３２の開口部３２ａを通過して、指針３１を光輝させるために指針軸部３１ｂの周辺部、すなわち、指針基端部に供給される。この光は、上記リング部材３３を光輝させるのにも利用されるが、この作用効果については後述する。
【００３８】
また、見返し板９は黒色樹脂製であり、このメータ装置１の前面側を形成する。見返し板９は、指針３１の回動範囲よりやや大きな表示窓を有して、文字板３２の表示領域以外を覆う。この見返し板９の表示窓の周辺部には、上記リング部材３３の係止片３３ｂに対応した係止穴９ｂが形成されている。この係止穴９ｂと上記係止片３３ｂとは対になっており、例えば、９０度毎に均等に４対設けられている。このようなリング部材３３の係止片３３ｂ及び見返し板９の係止穴９ｂにより、容易にリング部材３３を組み付けることができる。
【００３９】
更に、この見返し板９の表示窓の周辺部は、上記縁取り部材９ａとして利用することも可能である。すなわち、この部分はリング部材３３の内径よりやや小さな内径に成るように形成されており、上方から見てリング部材３３の内側を縁取るように視認される。このように見返し板９の一部を縁取り部材９ａとして利用することにより、部材追加をすることなく上述のような鮮やかなリング照明を提供することができる。もちろん、縁取り部材９ａとして専用の縁取り用リングを用いてもよい。
【００４０】
この見返し板９、文字板３２、及びリング部材３３の前方を覆って暗色系の半透過性の表ガラス１１が取り付けられている。この表ガラス１１は、例えば、見返し板９の一部を利用して固定され、メータの一部を構成する。この表ガラス１１は、暗色系のであるので、光輝した文字板３２上の表示意匠、指針３１及びリング部材３３が浮かび上がるように見え、それらの視認性が向上する。また、消灯時にはブラックフェイス化されるので、更に高品位感を提供することができる。なお、ここでは本発明の要旨を理解するのに必要でないベースプレート３４上に配置される他の回路類や構造は省略している。
【００４１】
このような構成において、所定のトリガーによって光源３６が点灯すると、この光源３６からの上方に向かう光は、文字板３２の開口部３２ａを通過して、指針基端部から指針３１（厳密には指針本体３１ａ）の内部に入射する。この入射光は、指針３１の内部に形成された反射面等を経由して指針３１の先端方向に導光され、これに伴い上記ホットスタンプ層３１ａ１が光輝される。これにより、指針指針３１はホットスタンプ層３１ａ１の色調及び光源３６に依存した色調で視認されることになる。
【００４２】
一方、光源３６から上方に向かう光は、図中、Ｒ１、Ｒ２、Ｒ３で示すように、上記開口部３２ａから漏れてリング部材３３の方向に進行する。そして、例えば、光Ｒ１、Ｒ２は、上記リング部材３３の曲線的な断面凸状の内壁３３ａに反射して、上方に向かいアイポイントＥＰ１、ＥＰ２に到達する。このアイポイントＥＰ１、ＥＰ２は、例えば、ドライバのアイポイントを想定している。すなわち、異なるドライバ、或いは、ドライバの姿勢等により、アイポイントが変動しうることを示している。なお、光Ｒ３もここでは図示しないが、同様に、リング部材３３の内壁３３ａに反射して、ドライバのアイポイントに到達する。このように、内壁３３ａは外側に向かうにしたがって曲線的に徐々に開口する断面凸状をしているので、反射光Ｒ１、Ｒ２はある程度の角度範囲を持って文字板３２の前方に向かうことになり、多少のアイポイントの変動も吸収する。すなわち、メータ視認者の姿勢や体型に依存することなく高品位感を与えることが可能になる。
【００４３】
以上、本実施形態によれば、文字板３２の開口部３２ａからの漏れ光を利用してリング部材３３にリング状の反射照明を発生させることにより、メータ視認者に高品位感を与える。すなわち、この種のメータに発生する漏れ光を積極的に利用することにより、リング部材を照明するための専用光源を用いることなく、簡単な構成でリング状の反射照明を提供して、高品位感を演出することができる。
【００４４】
また、指針３１と文字板３２とを時差点灯させることにより、指針３１とリング部材３３のみが、黒色系統の背景に鮮やかに浮かび上がって視認されるようにすることも可能で、更に高品位感を提供することができる。
【００４５】
なお、本メータ装置は、図２で示したタコメータ部以外にも適用可能であることはいうまでもない。また、本メータ装置は、ブラックフェースタイプや時差点灯タイプのメータ装置のみならず、一般的なメータ装置も適用可能である。更に、リング部材３３の形状は、完全な円状リングのみならず、例えば、楕円状リング或いは一部切り欠かれたリング状であってもよい。
【００４６】
【発明の効果】
以上説明したように、請求項１記載の発明によれば、文字板３２の開口部３２ａからの漏れ光を利用してリング部材３３にリング状の反射照明を発生させることにより、メータ視認者に高品位感を与える。このように、この種のメータに発生する漏れ光を積極的に利用することにより、リング部材専用光源を用いることなく、簡単な構成でリング状の反射照明を提供する。更に、内壁３３ａは外側に向かうにしたがって曲線的に徐々に開口する断面凸状をしているので、反射光は鏡面反射によりある程度の角度範囲をもって文字板３２の前方に向かうことになり、多少のアイポイントの変動も吸収する。すなわち、メータ視認者の姿勢や体型に依存することなく高品位感を与えることが可能になる。また、文字板３２の前方は黒色系透明の表ガラスで覆われ、表示意匠３２ｃを照明するために文字板３２の背面側に配置された光源３６とは異なる文字板用光源が具備されているので、光源３６の消灯時にはブラックフェイス化され、光源３６の点灯時には文字板用光源は消灯状態になり、指針３１とリング部材３３とが黒色系統の背景に鮮やかに浮かび上がって視認される。また、見返し板９の表示窓の周縁近傍が上記縁取り部材９ａとして利用されるので、縁取りのための専用部材を追加することなく、鮮やかなリング照明を提供できる。文字板３２とリング部材３３との間には、リング部材３３の内径よりやや小さな内径の縁取り部材９ａが、リング部材３３の内側を縁取るように介設されているので、リング状の輪郭がくっきりと縁取られて光輝するようになり、さらに高品位感を提供することができる。
【００４７】
請求項２記載の発明によれば、リング部材３３の光沢性は、メッキ処理したものであるので、メッキ自体の装飾効果と相乗的に、メッキの光沢性を利用したリング照明効果が付加される。
【図面の簡単な説明】
【図１】本発明の一実施形態を示し、本発明のメータ装置がコンビネーションメータに適用された例を示す正面図である。
【図２】図１のタコメータ部の正面図である。
【図３】図１のタコメータ部の要部断面図である。
【図４】この種の従来のメータ装置の概要を示す要部断面図である。
【符号の説明】
１  コンビネーションメータ
２  燃料計部
３  タコメータ部
４  ウォーニング表示部
５  方向指示部
６  スピードメータ部
７  オドメータ部
８  水温計部
９  見返し板
９ａ  縁取り部材
９ｂ  係止穴
１０  メータケース
１１  表ガラス
３１  指針
３１ａ  指針本体
３１ｂ  指針軸部
３２  文字板
３２ａ  開口部
３２ｃ  表示意匠
３３  リング部材
３３ａ  内壁
３４  ベースプレート
３５  モータ
【図１】
0003895996.tif 000002
【図２】
0003895996.tif 000003
【図３】
0003895996.tif 000004
【図４】
0003895996.tif 000005